(57)【要約】【課題】ディフューザを用いずに配管の侵食・錆びの生成を防止することで、配管抵抗を低減するとともに、装置の軽量化・部品点数の削減を図ること。【解決手段】内部にインペラ１１が設けられ、吸込流路１６及び吐出口が形成された本体ケーシング１０と、吸込流路１６に接続された案内流路３２を介して本体ケーシング１０に水を供給するジェットボディ３１と、ジェットボディ３１の内部にその出口端が配置され、本体ケーシング１０内に入口端を有する戻し流路３５と、インペラ１１を回転駆動するモータ２０と、吐出口に設けられ、戻し流路３５に戻す水量と吐出口から吐出する水量を調整する自圧弁１３と、戻し流路３５の出口端に設けられ、本体ケーシング１０側に向けて流体を吐出するノズル３６とを具備し、案内流路３２及び吸込流路１６は、防錆材料で形成されている。【選択図】      図３
2010106721.tif 000002
【特許請求の範囲】
【請求項１】
流体を汲み上げるためのジェットポンプ装置において、
内部にインペラが設けられ、上記流体の吸込流路及び吐出口が形成されたケーシング部と、
上記吸込流路に接続された案内流路を介して上記ケーシング部に上記流体を供給するジェットボディと、
このジェットボディの内部にその出口端が配置され、上記ケーシング部内に入口端を有する戻し流路と、
上記インペラを回転駆動する回転駆動部と、
上記吐出口に設けられ、上記戻し流路に戻す流体の量と上記吐出口から吐出する流体の量を調整する自圧弁と、
上記戻し流路の上記出口端に設けられ、上記ケーシング部側に向けて流体を吐出するノズルとを具備し、
上記案内流路及び吸込流路は、防錆材料で形成されていることを特徴とするジェットポンプ装置。
【請求項２】
上記防錆材料は、鋳造ステンレス材であることを特徴とする請求項１に記載のジェットポンプ装置。
【請求項３】
上記案内流路及び吸込流路は円筒状に形成されていることを特徴とする請求項１に記載のジェットポンプ装置。
【発明の詳細な説明】
【技術分野】
【０００１】
本発明は、浅井戸等で用いられる自吸ポンプとして用いられるジェットポンプに関し、特に構造が簡素で信頼性の高いものに関する。
【背景技術】
【０００２】
浅井戸等で用いられる自吸ポンプとして、ポンプ吸込部にジェット部を設けたジェットポンプが多用されている。
【０００３】
図５は、このようなジェットポンプの一例を示す一部断面図である。ジェットポンプ１００は、本体ケーシング１１０を備えている。
【０００４】
本体ケーシング１１０には、回転力に伴って揚水するインペラ１１１が回転自在に設けられている。また、本体ケーシング１１０に固定され、インペラ１１１に対向する案内羽１１２と、水圧が所定圧になると開弁する自圧弁１１３と、本体ケーシング１１０内部の水を抜くドレン１１４と、後述するモータ１２０の回転軸１２１が挿入され、上記インペラ１１１に水密に結合させる軸封装置１１５と、一方の開口部が外部に開口し他方の開口部が本体ケーシング１１０の内部に開口した円筒状の吸込流路１１６を備えている。
【０００５】
本体ケーシング１１０に隣接してモータ１２０が配置され、その回転軸１２１が軸封装置１１５を介してインペラ１１１に接続されている。
【０００６】
本体ケーシング１１０の吸込流路１１６の開口部には、ジェット部１３０が取り付けられている。ジェット部１３０は、筒状のジェットボディ１３１と、このジェットボディ１３１に一体に設けられ、前述した吸込流路１１６に接続される案内流路１３２とを備えている。なお、案内流路１３２の内径は吸込流路１１６の内径より僅かに小さく形成されている。
【０００７】
ジェットボディ１３１の開口端部には、水の導入パイプ（不図示）等との結合に供されるフランジ部１３３、チェック弁１３４が設けられている。ジェットボディ１３１には、図６に示すように、さらに本体ケーシング１１０内部からの水が戻される戻し流路１３５の出口端が取り付けられており、この戻し流路１３５からノズル１３６を介してジェットボディ１３１内に水が戻される構成となっている。なお、ノズル１３６は案内流路１３２及び吸込流路１１６側を向いている。ノズル１３６は、高速水流を発生させるためにジェットポンプに多用されている（例えば、特許文献１参照）。
【０００８】
案内流路１３２及び吸込流路１１６の内部にはゴム材製のディフューザ１４０が設けられている。このディフューザ１４０は、ノズル１３６から噴出された高速の水流により案内流路１３２及び吸込流路１１６の内部が侵食されるのを防止するために設けられている（例えば、特許文献２参照）。なお、案内流路１３２及び吸込流路１１６は一般的に鋳鉄で形成されているため、ディフューザ１４０が無いと錆びが生成されて内径が小さくなるという弊害もある。
【特許文献１】特表２００４−５２３６８５号公報
【発明の開示】
【発明が解決しようとする課題】
【０００９】
上述したジェットポンプ装置では、次のような問題があった。すなわち、ディフューザ１４０が設けられていると、配管の内径が小さくなり配管抵抗が増大するとともに、空気溜まりが生じやすくエアロックが発生する原因となりやすかった。また、装置の軽量化・部品点数の削減を阻害する要因となっていた。
【００１０】
そこで本発明は、ディフューザを用いずに配管の侵食・錆びの生成を防止することで、配管抵抗を低減するとともに、装置の軽量化・部品点数の削減を図ることができるジェットポンプ装置を提供することを目的としている。
【課題を解決するための手段】
【００１１】
前記課題を解決し目的を達成するために、本発明のジェットポンプ装置は次のように構成されている。
【００１２】
流体を汲み上げるためのジェットポンプ装置において、内部にインペラが設けられ、上記流体の吸込流路及び吐出口が形成されたケーシング部と、上記吸込流路に接続された案内流路を介して上記ケーシング部に上記流体を供給するジェットボディと、このジェットボディの内部にその出口端が配置され、上記ケーシング部内に入口端を有する戻し流路と、上記インペラを回転駆動する回転駆動部と、上記吐出口に設けられ、上記戻し流路に戻す流体の量と上記吐出口から吐出する流体の量を調整する自圧弁と、上記戻し流路の上記出口端に設けられ、上記ケーシング部側に向けて流体を吐出するノズルとを具備し、上記案内流路及び吸込流路は、防錆材料で形成されていることを特徴とする。
【発明の効果】
【００１３】
本発明によれば、ディフューザを用いずに配管の侵食・錆びの生成を防止することで、配管抵抗を低減するとともに、装置の軽量化・部品点数の削減を図ることができる。
【発明を実施するための最良の形態】
【００１４】
図１は本発明の一実施の形態に係るジェットポンプ装置９が組み込まれたポンプユニット１を一部切欠して示す正面図、図２は同ポンプユニット１を一部切欠して示す側面図、図３は同ポンプユニットに組み込まれたジェットポンプ装置１０の一部断面図、図４はジェットポンプ装置１０の要部を示す断面図である。ジェットポンプ装置１０は、浅井戸等に用いられる自吸式ポンプである。
【００１５】
ポンプユニット１は、ベース２と、このベース２上に設けられた配電盤３と、アキュムレータ４と、ジェットポンプ装置９から吐出された水をユニット吐出口５ａから外部へ吐出するための吐出流路５と、外部から水を導入し、加圧して吐出するジェットポンプ装置９とを備えている。
【００１６】
ジェットポンプ装置９は、本体ケーシング１０を備えている。本体ケーシング１０には、回転力に伴って揚水するインペラ１１が回転自在に設けられている。また、本体ケーシング１０に固定され、インペラ１１に対向する案内羽１２と、吐出流路５に接続された吐出口に設けられ、水圧が所定圧になると開弁することで、後述する戻し流路３５に戻す流体の量と吐出口から吐出する流体の量を調整する自圧弁１３と、本体ケーシング１０内部の水を抜くドレン１４と、後述するモータ２０の回転軸２１が挿入され、上記インペラ１１に水密に結合させる軸封装置１５と、一方の開口部が外部に開口し他方の開口部が本体ケーシング１０の内部に開口した円筒状の吸込流路１６を備えている。
【００１７】
本体ケーシング１０に隣接してモータ２０が配置され、その回転軸２１が軸封装置１５を介してインペラ１１に接続されている。
【００１８】
本体ケーシング１０の吸込流路１６の開口部には、ジェット部３０が取り付けられている。ジェット部３０は、筒状のジェットボディ３１と、このジェットボディ３１に一体に設けられ、前述した吸込流路１６に接続される案内流路３２とを備えている。なお、案内流路３２の内径は吸込流路１６の内径より僅かに小さく形成されている。
【００１９】
ジェットボディ３１の開口端部には、水の導入パイプ（不図示）等との結合に供されるフランジ部３３、チェック弁３４が設けられている。ジェットボディ３１には、図４に示すように、さらに本体ケーシング１０内部からの水が戻される戻し流路３５の出口端が取り付けられており、この戻し流路３５からノズル３６を介してジェットボディ３１内に水が戻される構成となっている。戻し流路３５の入口端は本体ケーシング１０の自圧弁１３に接続されている。なお、ノズル３６は案内流路３２及び吸込流路１６側を向いている。ノズル３６は、高速水流を発生させるために設けられたものである。なお、案内流路３２及び吸込流路１６は、防錆材料である鋳造ステンレス材で形成されている。
【００２０】
このように構成されたジェットポンプ１では、モータ２０が駆動されると、インペラ１１が回転し、本体ケーシング１０内部の水が加圧される。加圧水は、自圧弁１３により吐出される量と戻し流路３５に戻す量とが調整されて、外部に吐出される。一方、戻し流路３５に戻された加圧水はノズル３６からジェットボディ３１内に、本体ケーシング１０に向けて噴出される。
【００２１】
噴出された加圧水は案内流路３２及び吸込流路１６内を高速で通過するが、案内流路３２及び吸込流路１６は防錆材料である鋳造ステンレス材で形成されているため、水流による侵食を最小限に抑えることができる。また、鋳造ステンレス材は、錆びないため、案内流路３２及び吸込流路１６の内径が錆びによって小さくなることはない。
【００２２】
一方、ディフューザを用いないのでディフューザの交換が不要となるとともに、案内流路３２及び吸込流路１６内に空気が溜まることによるエアロックの発生を防止することができ、構造が簡素でメンテナンス性を向上させることができる。
【００２３】
なお、本発明は前記実施の形態に限定されるものではない。例えば、上述した例では、防錆材料として鋳造ステンレス材を用いたが他の材料でもよい。この他、本発明の要旨を逸脱しない範囲で種々変形実施可能であるのは勿論である。
【図面の簡単な説明】
【００２４】
【図１】本発明の一実施の形態に係るジェットポンプ装置が組み込まれたポンプユニットを一部切欠して示す正面図。
【図２】同ポンプユニットを一部切欠して示す側面図。
【図３】同ポンプユニットに組み込まれたジェットポンプ装置を示す一部断面図。
【図４】同ジェットポンプ装置の要部を示す縦断面図。
【図５】ジェットポンプ装置の一例を示す一部断面図。
【図６】同ジェットポンプ装置の要部を示す縦断面図。
【符号の説明】
【００２５】
１…ジェットポンプ、１０…本体ケーシング、１１…インペラ、１３…自圧弁、１６…吸込流路、２０…モータ、２１…回転軸、３０…ジェット部、３１…ジェットボディ、３２…案内流路、３５…戻し流路、３６…ノズル。
【図１】
2010106721.tif 000003
【図２】
2010106721.tif 000004
【図３】
2010106721.tif 000005
【図４】
2010106721.tif 000006
【図５】
2010106721.tif 000007
【図６】
2010106721.tif 000008